(57)【特許請求の範囲】
【請求項１】
上側に開口部を有する筐体と、該筐体上に載置され被粉砕物を投入するための投入ホッパと、前記筐体内で横置きされた回転軸に取り付けられた回転刃と、前記筐体内に配置され前記回転刃と係合する固定刃とを備え、前記回転刃と固定刃との協働により被粉砕物を粉砕する粉砕機において、
前記回転刃は、
前記回転軸の一端側であって前記筐体内側の壁部に向き合った小回転刃と、
該小回転刃を間にして前記壁部に対向配置された大回転刃と
を備え、
前記回転軸の前記一端側上方に前記小回転刃の前記壁部側を覆うようにして前記回転軸の前記一端側から他端側に向かって下方に傾斜し、前記投入ホッパに固定された傾斜板をさらに備え、
前記傾斜板の前記回転軸の前記一端側から軸方向に沿った長さが前記小回転刃の前記回転軸方向の長さ寸法より短いことを特徴とする粉砕機。
【請求項２】
前記投入ホッパは、
被粉砕物を前記開口部に案内するための傾斜した案内板を備え、
前記傾斜板は、
前記案内板の下端側に配置してあることを特徴とする請求項１に記載の粉砕機。
【請求項３】
前記傾斜板は、
前記案内板の傾きと略等しい傾きに傾斜して設けてあることを特徴とする請求項２に記載の粉砕機。
【請求項４】
前記傾斜板の前記回転軸の前記一端側から軸方向に沿った長さを調整する調整部を備えることを特徴とする請求項１乃至請求項３のいずれか１項に記載の粉砕機。
【請求項５】
前記傾斜板の一部を、前記投入ホッパの被粉砕物を前記開口部に案内するための傾斜した案内板に重ねて配置するようにしてあり、
前記調整部は、
前記傾斜板又は案内板の少なくとも一方に形成された長孔と、
該長孔に挿通されて前記傾斜板と案内板とを締着するためのボルトと、
該ボルトに螺嵌されるナットと
を備え、
前記ボルトの挿通位置を変更して前記傾斜板の前記回転軸の前記一端側から軸方向に沿った長さを調整するように構成してあることを特徴とする請求項４に記載の粉砕機。
【発明の詳細な説明】
【技術分野】
【０００１】
本発明は、被粉砕物を粉砕する粉砕機に関する。
【背景技術】
【０００２】
環境汚染あるいは産業廃棄物の増加などの問題を解決するため、循環型社会の形成が益々重要になってきている。例えば、プラスチックに代表される合成樹脂を用いて成形品又は成形部品を製造する成形工場では、成形時に発生するスプルランナと称される不要部分あるいは成形不良品などを回収して樹脂素材の資源再利用率を向上させることが行われている。
【０００３】
樹脂素材のリサイクルには、回収したスプルランナ（被粉砕物）を粉砕機で所定の大きさの粉砕材にしてリサイクル原資としている。このような粉砕機は、投入ホッパから投入されたスプルランナを小回転刃（粉砕刃）に食い込み易くするため、まず大回転刃（粗砕刃）で粗砕し、粗砕された材料を小回転刃で所定の粒形状の粉砕材に粉砕している。大回転刃と小回転刃とをそれぞれ別の回転軸に固定した２軸式の粉砕機に比べて、小回転刃と大回転刃とを１つの回転軸に固定した１軸式の粉砕機は、回転軸を駆動する駆動部品が少なく構造もシンプルであるため、工場内リサイクルを目指す多くの事業所で利用されている。このような１軸式の粉砕機（裁断機）は、例えば、特許文献１に開示されている。
【０００４】
図７はスプルランナの一例を示す外観図である。図７に示すように、スプルランナは、棒状片が縦横高さ方向に交錯した特異な形状をなす。なお、図７の例は、一例であって、スプルランナの形状は、成形品等によって様々な外観形状をなす。スプルランナの外観寸法は、図７に示すように、長さＬ、幅Ｗ、高さＨで特定することができる。
【先行技術文献】
【特許文献】
【０００５】
【特許文献１】特開２００６−１１６５４５号公報
【発明の概要】
【発明が解決しようとする課題】
【０００６】
従来の粉砕機の筐体の上側には、スプルランナを投入するための投入ホッパを取り付けてあり、スプルランナは、投入ホッパの投入口から投入され、粉砕機の筐体で囲まれた粉砕室へ落下する。しかし、図７で示すように、スプルランナは、特異な外観形状をなすため、落下時の姿勢によっては、回転刃（特に大回転刃）に掛からずに、粉砕されない状態で粉砕室内に停留する場合がある。
【０００７】
図８はスプルランナが粉砕室で停留する状態の一例を示す説明図である。上下に開口した開口部を有する筐体に回転軸２５が横置きされている。回転軸２５には、複数の小回転刃６と複数の大回転刃４とが交互に嵌装されている。筐体の内側には、回転刃４、６と係合してスプルランナを粉砕する固定刃７、粉砕した粉砕材を下方に掻き落とすためのスクレーパ５などが設けてある。図８の例は、粉砕室９０に落下したスプルランナ１０１が、筐体と大回転刃４との間に落下し、固定刃７とスクレーパ５との間を跨ぐような姿勢で停留し、大回転刃４及び小回転刃６のいずれとも掛からない状態になった様子を示す。このような状態は、スプルランナ１０１の長さ寸法Ｌが比較的長く、幅寸法Ｗ及び高さ寸法Ｈが比較的短い場合に発生しやすい。
【０００８】
図９はスプルランナが粉砕室で停留する状態の他の例を示す説明図である。上下に開口した開口部を有する筐体に回転軸２５が横置きされている。回転軸２５には、複数の小回転刃６と複数の大回転刃４とが交互に嵌装されている。筐体の内側には、回転刃４、６と係合してスプルランナを粉砕する固定刃７、粉砕した粉砕材を下方に掻き落とすためのスクレーパ５などが設けてある。図９の例は、粉砕室９０に落下したスプルランナ１０１が、大回転刃４を跨ぐような姿勢で停留し、大回転刃４及び小回転刃６のいずれとも掛からない状態になった様子を示す。このような状態は、スプルランナ１０１の長さ寸法Ｌ、幅寸法Ｗ及び高さ寸法Ｈが比較的長い場合に発生しやすい。
【０００９】
図８又は図９に例示したような、スプルランナが停留した状態が発生した場合、投入ホッパから次に投入されたスプルランナが停留したスプルランナの上に積み重なり、スプルランナが粉砕されずに投入ホッパから溢れ出る状態が生じることがあった。夜間などの無人運転又はオペレータが不在の自動運転の際にこのような状態に陥った場合、粉砕機で粉砕した粉砕材が、例えば、成形機へ供給されず、製造ラインが停止するといった事態にまで陥る可能性があった。
【００１０】
本発明は斯かる事情に鑑みてなされたものであり、被粉砕物を大回転刃に掛からせるようにして被粉砕物を停留させることなく確実に粉砕することができる粉砕機を提供することを目的とする。
【課題を解決するための手段】
【００１１】
第１発明に係る粉砕機は、上側に開口部を有する筐体と、該筐体上に載置され被粉砕物を投入するための投入ホッパと、前記筐体内で横置きされた回転軸に取り付けられた回転刃と、前記筐体内に配置され前記回転刃と係合する固定刃とを備え、前記回転刃と固定刃との協働により被粉砕物を粉砕する粉砕機において、前記回転刃は、前記回転軸の一端側であって前記筐体内側の壁部に向き合った小回転刃と、該小回転刃を間にして前記壁部に対向配置された大回転刃とを備え、前記回転軸の前記一端側上方に前記小回転刃の前記壁部側を覆うようにして前記回転軸の前記一端側から他端側に向かって下方に傾斜し、前記投入ホッパに固定された傾斜板をさらに備え、前記傾斜板の前記回転軸の前記一端側から軸方向に沿った長さが前記小回転刃の前記回転軸方向の長さ寸法より短いことを特徴とする。
【００１３】
第２発明に係る粉砕機は、第１発明において、前記投入ホッパは、被粉砕物を前記開口部に案内するための傾斜した案内板を備え、前記傾斜板は、前記案内板の下端側に配置してあることを特徴とする。
【００１４】
第３発明に係る粉砕機は、第２発明において、前記傾斜板は、前記案内板の傾きと略等しい傾きに傾斜して設けてあることを特徴とする。
【００１５】
第４発明に係る粉砕機は、第１発明乃至第３発明のいずれか１つにおいて、前記傾斜板の前記回転軸の前記一端側から軸方向に沿った長さを調整する調整部を備えることを特徴とする。
【００１６】
第５発明に係る粉砕機は、第４発明において、前記傾斜板の一部を、前記投入ホッパの被粉砕物を前記開口部に案内するための傾斜した案内板に重ねて配置するようにしてあり、前記調整部は、前記傾斜板又は案内板の少なくとも一方に形成された長孔と、該長孔に挿通されて前記傾斜板と案内板とを締着するためのボルトと、該ボルトに螺嵌されるナットとを備え、前記ボルトの挿通位置を変更して前記傾斜板の前記回転軸の前記一端側から軸方向に沿った長さを調整するように構成してあることを特徴とする。
【００１７】
第１発明にあっては、回転刃は、回転軸の一端側に配された小回転刃と、小回転刃に隣接して配された大回転刃とを備える。筐体内で横置きされた回転軸の一端側、すなわち回転軸が横置きされた筐体内側に小回転刃（粉砕刃）を配置してあり、当該小回転刃に隣接して大回転刃（粗砕刃）を配置してある。なお当該大回転刃に隣接してさらに小回転刃と大回転刃とが交互に配置されてある。すなわち、回転軸には、複数の小回転刃（例えば、３個）及び大回転刃（例えば、２個）が設けられている。そして、回転軸の一端側上方に筐体の開口部の一部を覆うようにして回転軸の一端側から他端側に向かって下方に傾斜した傾斜板を備える。
【００１８】
回転軸の一端側から他端側に向かって下方に傾斜した傾斜板を備えることにより、投入ホッパに投入されて落下した被粉砕物（スプルランナ）は、筐体内側の縁部付近に落下せず、大回転刃の方に近づいてから大回転刃の近くで落下するので、被粉砕物を大回転刃に掛かるように落下させることができ、被粉砕物が粉砕室内で回転刃に掛からずに停留した状態になることを防止し、確実に粉砕することができる。
【００１９】
また、傾斜板の回転軸の一端側から軸方向に沿った長さが小回転刃の回転軸方向の長さ寸法より短い。傾斜板の回転軸の一端側から軸方向に沿った長さとは、傾斜して配置した傾斜板の筐体内側面から回転軸の軸方向（すなわち水平方向）の見かけの長さである。例えば、筐体内側面から回転軸方向へ張出した傾斜板の長さをＢ、傾斜板の水平方向（横方向）に対する傾斜角をθとすると、傾斜板の回転軸の一端側から軸方向に沿った長さＡは、Ａ＝Ｂ×ｃｏｓθで求めることができる。そして、小回転刃の回転軸方向の長さ寸法をＤとすると、Ａ＜Ｄとする。Ａ＞Ｄとなると、投入ホッパに投入されて落下した被粉砕物が大回転刃の位置を超えて大回転刃に掛からない場合が起こり得る。Ａ＜Ｄとすることで、落下した被粉砕物を大回転刃に掛かるように落下させることができ、被粉砕物が粉砕室内で回転刃に掛からずに停留した状態になることを防止し、確実に粉砕することができる。なお、傾斜板の回転軸の一端側から軸方向に沿った長さＡは、一義的に決める必要はなく、Ａ＜Ｄの範囲であれば、粉砕する被粉砕物の外観形状及び大きさに応じて、落下する被粉砕物が大回転刃に掛かるように適宜設定することができる。例えば、被粉砕物の寸法が比較的小さい場合には、寸法（Ｄ−Ａ）が小さくなるように長さＡを決めることができ、逆に被粉砕物の寸法が比較的大きい場合には、寸法（Ｄ−Ａ）が大きくなるように長さＡを決めることができる。
【００２０】
第２発明にあっては、投入ホッパは、被粉砕物を筐体の開口部に案内するための傾斜した案内板を備え、傾斜板は、案内板の下端側に配置してある。投入ホッパの傾斜した案内板の下端側に傾斜板を配置してあるので、傾斜板を備えていない場合に比べて、投入ホッパに投入されて案内板に沿って落下した被粉砕物を傾斜板で大回転刃の方へ落下させることができ、大回転刃に掛かり易くなり、被粉砕物が回転刃に掛からずに停留したままの状態が発生することを防止することができる。
【００２１】
第３発明にあっては、傾斜板は、案内板の傾きと略等しい傾きに傾斜して設けてある。傾斜板を案内板の傾きよりも大きな傾斜角で（より下向きに傾斜させて）傾斜させた場合には、傾斜板の見かけの長さ（傾斜板の回転軸の一端側から軸方向に沿った長さ）を十分に確保することができない。また、傾斜板を案内板の傾きよりも小さな傾斜角で（より水平方向に近づけて）傾斜させた場合には、被粉砕物が傾斜板上で滞留してしまう可能性がある。傾斜板を案内板の傾きと略等しい傾き（例えば、＋１０度程度以内）に傾斜して設けることにより、案内板に沿って落下した被粉砕物を大回転刃の方へ落下させることができる。
【００２２】
第４発明にあっては、傾斜板の回転軸の一端側から軸方向に沿った長さを調整する調整部を備える。例えば、被粉砕物の寸法が比較的小さい場合には、傾斜板の回転軸の一端側から軸方向に沿った長さ（見かけの長さ）Ａを長くし、逆に被粉砕物の寸法が比較的大きい場合には、長さＡを短くすることができ、被粉砕物が様々な形状又は大きさであっても、被粉砕物が粉砕室で停留しないようにすることができる。
【００２３】
第５発明にあっては、傾斜板の一部を、投入ホッパの被粉砕物を筐体の開口部に案内するための傾斜した案内板に重ねて配置する。調整部は、傾斜板又は案内板の少なくとも一方に形成された長孔と、長孔に挿通されて前記傾斜板と案内板とを締着するためのボルトと、ボルトに螺嵌されるナットとを備える。そして、ボルトの長孔での挿通位置を変更することにより、傾斜板と案内板との重なり度合を調整して傾斜板の回転軸の一端側から軸方向に沿った長さを調整する。
【発明の効果】
【００２４】
第１発明によれば、回転軸の一端側から他端側に向かって下方に傾斜した傾斜板を備えることにより、投入ホッパに投入されて落下した被粉砕物（スプルランナ）は、筐体内側の縁部付近に落下せず、大回転刃の方に近づいてから大回転刃の近くで落下するので、被粉砕物を大回転刃に掛かるように落下させることができ、被粉砕物が粉砕室内で回転刃に掛からずに停留した状態になることを防止し、確実に粉砕することができる。
【００２５】
また、傾斜板の回転軸の一端側から軸方向に沿った長さを小回転刃の回転軸方向の長さ寸法より短くすることにより、落下した被粉砕物を大回転刃に掛かるように落下させることができ、被粉砕物が粉砕室内で回転刃に掛からずに停留した状態になることを防止し、確実に粉砕することができる。
【００２６】
第２発明によれば、投入ホッパの傾斜した案内板の下端側に傾斜板を配置することにより、投入ホッパに投入されて案内板に沿って落下した被粉砕物を傾斜板で大回転刃の方へ落下させることができ、大回転刃に掛かり易くなり、被粉砕物が回転刃に掛からずに停留したままの状態が発生することを防止することができる。
【００２７】
第３発明によれば、傾斜板を案内板の傾きと略等しい傾きに傾斜して設けることにより、案内板に沿って落下した被粉砕物を大回転刃の方へ落下させることができる。
【００２８】
第４発明によれば、調整部を備えることにより、被粉砕物が様々な形状又は大きさであっても、被粉砕物が粉砕室で停留しないようにすることができる。
【００２９】
第５発明によれば、簡便な構成により、傾斜板の回転軸の一端側から軸方向に沿った長さを調整することができる。
【図面の簡単な説明】
【００３０】
【図１】本実施の形態の粉砕機の設置例の概要を示す正面図である。
【図２】本実施の形態の粉砕機の設置例の概要を示す側面図である。
【図３】本実施の形態の粉砕機の要部平面図である。
【図４】本実施の形態の粉砕機の要部側面図である。
【図５】本実施の形態の粉砕機の要部正面図である。
【図６】調整部の構成の一例を示す要部正面断面図である。
【図７】スプルランナの一例を示す外観図である。
【図８】スプルランナが粉砕室で停留する状態の一例を示す説明図である。
【図９】スプルランナが粉砕室で停留する状態の他の例を示す説明図である。
【発明を実施するための形態】
【００３１】
以下、本発明をその実施の形態を示す図面に基づいて説明する。図１は本実施の形態の粉砕機５０の設置例の概要を示す正面図であり、図２は本実施の形態の粉砕機５０の設置例の概要を示す側面図である。粉砕機５０は、上側及び下側に開口部を有する筐体を備える。上側の開口部は、後述の投入ホッパ６０から投入されたスプルランナを粉砕室へ導くための開口部であり、下側の開口部は、粉砕した粉砕材を排出するための開口部である。筐体は、後述するように固定側壁及び搖動側壁で囲まれた平面視矩形状の形状をなす。なお、筐体は、固定側壁と搖動側壁とに分かれているものではなく一体化したものであってもよい。
【００３２】
粉砕機５０は、中央部が開口した金属製の支持台１にボルト等で固定されている。支持台１の下側には、粉砕機５０の下部に取り付けられた材料受部５１が配置されている。材料受部５１には、ブロワなどの吸気手段に接続された吸引管５２を接続している。
【００３３】
粉砕機５０の筐体には、正面視略Ｓ字状の投入ホッパ６０を載置してある。投入ホッパ６０は、上側にスプルランナ（被粉砕物）を投入するための投入口６１、投入されたスプルランナを粉砕機５０の筐体内（粉砕室）に案内するため上下に傾斜した案内板６２、投入ホッパ６０を粉砕機５０の筐体に固定するためのベース枠６３、投入ホッパ６０を開閉するための開閉部６４などを備える。
【００３４】
開閉部６４には、開閉用の軸（不図示）を設けてあり、軸回りに約９０度投入ホッパ６０を回転させることにより、粉砕機５０の筐体の上方を開放することができる。
【００３５】
筐体の一方の側面には、電動モータが取り付けられた減速機１１を設けてあり、筐体の他方の側面には、回転軸（不図示）用の軸受１０を取り付けてある。
【００３６】
図３は本実施の形態の粉砕機５０の要部平面図であり、図４は本実施の形態の粉砕機５０の要部側面図である。なお、図３及び図４では投入ホッパ６０を省略している。図３及び図４に示すように、支持台１の上面には、適長離隔した１対の金属製の固定側壁２、２を対設してあり、固定側壁２、２の両側部には、１対の金属製の揺動側壁３、３が固定側壁２、２で挟まれるように配置してあり、固定側壁２、２、及び揺動側壁３、３により筐体を構成している。そして、粉砕機５０の筐体は、上側及び下側に開口部を有する。
【００３７】
一方の固定側壁２の略中央部には、軸受１０が取り付けられてあり、他方の固定側壁２には、電動モータが取り付けられた減速機１１が取り付けられてあり、減速機１１を介して電動モータのモータ軸に連動する回転軸２５が固定側壁２、２の間に軸架されている。
【００３８】
固定側壁２、２、及び揺動側壁３、３で囲まれる空間（粉砕室）には、回転軸２５に嵌装された大回転刃としての粗砕刃４、４、及び小回転刃としての粉砕刃６、６、６が収容される。粗砕刃（大回転刃）４、４は、回転軸２５の周面から円弧状に突出している。すなわち、粗砕刃４、４は、回転方向に向かって先端部（刃先部）が湾曲したアーム状をなし回転軸２５の軸方向に適長離隔して配置されている。粉砕刃（小回転刃）６、６、６は、固定側壁２と粗砕刃４との間、及び粗砕刃４、４の間に配置され、回転軸２５方向に所定の間隔で環状溝が形成され、隣接する環状溝間の環状突起部の外周面を鋸歯状に形成している。
【００３９】
固定側壁２に最も近い位置に配された粉砕刃（小回転刃）６は、回転軸２５の一端側に配され、軸方向に適長の長さ寸法を有し、粉砕刃６に隣接して粗砕刃（大回転刃）４を配置してある。筐体内で横置きされた回転軸２５の一端側、すなわち回転軸２５が横置きされた筐体内側（固定側壁２の内面側）から回転軸２５の軸方向に沿って適長の長さ寸法の粉砕刃（小回転刃）６と当該粉砕刃６に隣接して粗砕刃（大回転刃）４を設けてある。
【００４０】
揺動側壁３、３は、回転軸２５に平行な揺動軸２１、２２の回りに揺動可能であり、揺動側壁３、３を開くことにより、筐体内部が上向きに開放される。一方の揺動側壁３の内側には、各粗砕刃４、及び各粉砕刃６との協働によりスプルランナを粉砕するための矩形の板状の第１固定刃７ａ、…、及び第２固定刃７ｂで構成される固定刃７が、内側に向かって下方向に傾斜するように固定されている。
【００４１】
第１固定刃７ａは、長手方向の寸法が粉砕刃６の軸方向の寸法と略同一であり、長辺側の一方の縁部は、粉砕刃６の刃先と噛み合うように凹凸状に形成された歯部を有し、ボルト９、…で揺動側壁３の内側に固定されている。また、第１固定刃７ａの短辺側であって粗砕刃４と近接する縁部には、粗砕刃４との協働によりスプルランナを粉砕する歯部を形成している。
【００４２】
第２固定刃７ｂは、長手方向の寸法が揺動側壁３の軸方向の寸法と略同一であり、長辺側の一方の縁部であって、粗砕刃４と近接する箇所には、粗砕刃４との協働によりスプルランナを粉砕する歯部を形成している。第２固定刃７ｂは、ボルト（不図示）により第１固定刃７ａ、…の長辺側の他方の縁部に当接するように揺動側壁３の内側に固定されている。
【００４３】
揺動側壁３の内側であって固定刃７の下側には、粗砕刃４、４で粗砕され、所定の大きさに粉砕されていないスプルランナが排出されることを防止するため、粗砕刃カバー３１が設けられている。粗砕刃カバー３１は、粗砕刃４、４の回転軌道を覆うように内側に円弧状の溝加工が施されている。
【００４４】
他方の揺動側壁３の内側には、粉砕刃６、６、６で所定の大きさ（粒形状）に粉砕された粉砕材を掻き落とし、筐体の下側の材料受部５１へ排出するための略矩形の板状のスクレーパ５が、ボルト８、８、８により内側に向かって下方向に傾斜するように固定されている。
【００４５】
スクレーパ５は、粗砕刃４、４が回転する部分に矩形状の切り込みを形成してあり、長辺側の一方の縁部であって、粉砕刃６、６、６と近接する箇所には、粉砕刃６の刃先と噛み合うように凹凸状に形成された掻き落とし部を形成している。
【００４６】
揺動側壁３の内側であってスクレーパ５の下側には、粗砕刃４、４で粗砕され、未だ所定の大きさに粉砕されていないスプルランナが排出されることを防止するため、粗砕刃カバーが設けられている。粗砕刃カバーは、粗砕刃４、４の回転軌道を覆うように内側に円弧状の溝加工が施されている。両方の揺動側壁３、３を閉じた場合、各粗砕刃カバーは、一端部でお互いに当接して、粗砕刃４、４の回転軌道を覆う空間を形成し、未粉砕のスプルランナが排出されることを防止する。
【００４７】
各固定側壁２、及び各揺動側壁３で構成される筐体の４隅には、揺動側壁３、３を固定側壁２、２に固定するため一面がテーパ状のロック部材１３、…が取り付けられるようになっており、テーパ状の一面で固定側壁２、揺動側壁３の端部を挟み込み、ロック部材１３に螺合したレバー１２を締め付けることにより、揺動側壁３、３を固定側壁２、２に固定する。各揺動側壁３は、揺動側壁３に固定されたハンドル１４を持って開閉することができる。
【００４８】
スプルランナを粉砕する場合、レバー１２を締め付けることにより、揺動側壁３、３を固定側壁２、２に固定する。筐体の上部に配置された投入ホッパ６０にスプルランナを投入し、電動モータの電源をオンにすると、回転軸２５が所定の回転数で回転し、粗砕刃４、粉砕刃６が回転する。回転方向は、粗砕刃４、及び粉砕刃６が上側から下側に向かって固定刃７と噛み合うとともに、下側から上側に向かってスクレーパ５と噛み合う方向である。
【００４９】
これにより、スプルランナは、まず粗砕刃４と固定刃７との協働により粗砕され、粉砕刃６に食い込み易い大きさに細断される。粗砕されたスプルランナは、粉砕刃６と第１固定刃７ａとの協働により所定の大きさの粉砕材に粉砕され、粉砕刃６の回転に伴って筐体の下側に送られ、材料受部５１に排出される。また、所定の大きさに粉砕された粉砕材のうち、静電気で粉砕刃６の側面に付着したものは、粉砕刃６とスクレーパ５との協働によりスクレーパ５の下面で掻き落とされ、材料受部５１に排出される。
【００５０】
粗砕刃４により粗砕されたスプルランナの一部は、粗砕刃４の回転により固定刃７の下側に送られるが、粗砕刃カバー３１で受け止められ、再び各粉砕刃６の上側に送られるとともに、材料受部５１に誤って排出されることを防止する。
【００５１】
また、スプルランナを粉砕した後には、粉塵（粉砕片）が固定刃７の上面及び刃先、スクレーパ５の上面及び端部、粉砕刃６の表面、粗砕刃４の表面、粗砕刃カバー３１の外側及び内側、固定側壁２、２の内部、揺動側壁３、３の内部などに残留する。
【００５２】
図４に示すように、固定側壁２の略中央部に回転軸２５が軸架されてあり、回転軸２５には、粗砕刃４、粉砕刃６が所定の位置で嵌装されている。一方の揺動側壁３の内側上面には、回転軸２５の方向に向かって下方向に傾斜して固定刃７（第１固定刃７ａ、第２固定刃７ｂ）が固定されてあり、固定刃７の下側であって粗砕刃４の回転軌道には、粗砕刃カバー３１を設けている。
【００５３】
他方の揺動側壁３の内側上面には、回転軸２５の方向に向かって下方向に傾斜してスクレーパ５が固定されてあり、スクレーパ５の下側であって粗砕刃４の回転軌道には、粗砕刃カバー３１を設けている。
【００５４】
各粗砕刃カバー３１は、所定の厚みを有する劣弧状の円環形状をなし、内側は粗砕刃４の回転軌道に沿って溝加工が施された空間を形成してある。揺動側壁３、３が閉じられた状態では、粗砕刃カバー３１の一端部同士が当接し、粗砕刃４の回転に伴って固定刃７及びスクレーパ５の下側に回りこんだ未処理の粉砕片を受け止める。
【００５５】
回転軸２５の略鉛直下であって揺動側壁３の固定側壁２と近接する面には、回転軸２５の軸方向と平行に軸体２１、２１（第１揺動軸）を垂設している。各軸体２１と略水平であって、軸体２１より外側には、軸体２１の軸方向と平行に軸体２２、２２（第２揺動軸）を固定側壁２の揺動側壁３と近接する面に垂設している。
【００５６】
軸体２１、２２には、軸体２１、２２を挿通する挿通孔を有し、略楕円形状の連係板２３が、固定側壁２及び揺動側壁３の間に軸体２１、２２の回りに回動可能に取り付けられている。揺動側壁３の連係板２３の上方には、外側から内側に向かって下方向に傾斜した切欠面３２を形成している。なお、切欠面３２は、揺動側壁３を開く場合に、連係板２３の上側側面に当接することにより、揺動側壁３と連係板２３とを係止させ、連動して回転させるものであり、面に限定されるものではなく、係止することができる形状であれば、湾曲した面、凹凸状の形状など適宜設定することができる。
【００５７】
回転軸２５の下側であって、固定側壁２の揺動側壁３との摺動面には、円柱状の固定ピン２４を適長離隔して垂設してあり、揺動側壁３の固定側壁２との摺動面には、揺動側壁３が閉じられた状態で、固定ピン２４に嵌合する半円弧状の嵌合面３４を形成している。これにより、揺動側壁３を閉じる際の揺動側壁３の上下方向のぶれを防止し、揺動側壁３の開閉時に粗砕刃４、粉砕刃６などの刃先が、固定刃７の刃先、スクレーパ５などと干渉して刃先が損傷することを防止する。
【００５８】
図５は本実施の形態の粉砕機５０の要部正面図である。図５は投入ホッパ６０を閉じた状態を示す。図５に示すように、粉砕刃６は、回転軸２５の一端側（固定側壁２に隣接した状態）に配され、軸方向に適長の長さ寸法Ｄを有する。さらに粉砕刃６に隣接して粗砕刃４を配置してある。なお、当該粗砕刃４に隣接してさらに粉砕刃６と粗砕刃４とが交互に設けられてあり、回転軸２５には、複数の粉砕刃６（図５の例では、３個）及び粗砕刃４（図５の例では、２個）が設けられている。
【００５９】
固定側壁２の内側面の上方、すなわち回転軸２５の一端側上方に筐体の開口部の一部を覆うようにして回転軸２５の一端側から他端側に向かって下方に傾斜した傾斜板７０を設けてある。すなわち、傾斜板７０を固定側壁２（筐体）の内側面から回転軸２５の軸方向に沿って（粉砕室の方へ）張出すようにして設けてある。
【００６０】
回転軸２５の一端側から他端側に向かって下方に傾斜した傾斜板７０を備えることにより、投入ホッパ６０に投入されて落下したスプルランナ（被粉砕物）は、筐体内側の縁部付近（すなわち、固定側壁２に隣接する粉砕刃６の固定側壁付近）に落下せず、粗砕刃４の方に近づいてから粗砕刃４の近くで落下するので、スプルランナを粗砕刃４に掛かるように落下させることができ、スプルランナが粉砕室内で回転刃（粗砕刃４及び粉砕刃６）に掛からずに停留した状態になることを防止し、確実に粉砕することができる。
【００６１】
また、傾斜板７０の回転軸２５の一端側から軸方向に沿った長さＡが粉砕刃６の長さ寸法Ｄより短い。傾斜板７０の回転軸の一端側から軸方向に沿った長さＡとは、傾斜して配置した傾斜板７０の筐体内側面から回転軸２５の軸方向（すなわち水平方向）の見かけの長さである。
【００６２】
例えば、筐体内側面から回転軸２５方向へ張出した傾斜板７０の実際の長さをＢ、傾斜板７０の水平方向（横方向）に対する傾斜角をθとすると、傾斜板７０の回転軸の一端側から軸方向に沿った長さＡは、Ａ＝Ｂ×ｃｏｓθで求めることができる。そして、粉砕刃６の回転軸２５方向の長さ寸法をＤとすると、Ａ＜Ｄとする。
【００６３】
Ａ＞Ｄとなると、投入ホッパ６０に投入されて落下したスプルランナが粗砕刃４の位置を超えて粗砕刃４に掛からない場合が起こり得る。Ａ＜Ｄとすることで、落下したスプルランナを粗砕刃４に掛かるように落下させることができ、スプルランナが粉砕室内で回転刃（粗砕刃４及び粉砕刃６）に掛からずに停留した状態になることを防止し、確実に粉砕することができる。
【００６４】
なお、傾斜板７０の回転軸２５の一端側から軸方向に沿った長さＡは、一義的に決める必要はなく、Ａ＜Ｄの範囲であれば、粉砕するスプルランナの外観形状及び大きさに応じて、落下するスプルランナが粗砕刃４に掛かるように適宜設定することができる。例えば、スプルランナの寸法が比較的小さい場合には、寸法（Ｄ−Ａ）が小さくなるよう、すなわち傾斜板７０の先端部が粗砕刃４の回転軌道面に近づくように長さＡを決めることができ、逆にスプルランナの寸法が比較的大きい場合には、寸法（Ｄ−Ａ）が大きくなるよう、すなわち傾斜板７０の先端部が粗砕刃４の回転軌道面から離れるように長さＡを決めることができる。
【００６５】
投入ホッパ６０の案内板６２は、上下に傾斜、すなわち回転軸２５の回転軸方向に沿って傾斜している。そして、傾斜板７０を投入ホッパ６０の案内板６２の下端側に配置してある。投入ホッパ６０の傾斜した案内板６２の下端側に傾斜板７０を配置してあるので、傾斜板７０を備えていない場合に比べて、投入ホッパ６０に投入されて案内板６２に沿って落下したスプルランナを傾斜板７０で粗砕刃４の方へ落下させることができ、粗砕刃４に掛かり易くなり、スプルランナが回転刃（粗砕刃４及び粉砕刃６）に掛からずに停留したままの状態が発生することを防止することができる。
【００６６】
また、傾斜板７０は、案内板６２の傾き（回転軸２５の回転軸方向に沿った傾斜）と略等しい傾きに傾斜して設けてある。傾斜板７０を案内板６２の傾きよりも大きな傾斜角で（より下向きに傾斜させて）傾斜させた場合には、傾斜板７０の見かけの長さＡ（傾斜板の回転軸の一端から軸方向に沿った長さ）を十分に確保することができない。また、傾斜板７０を案内板６２の傾きよりも小さな傾斜角で（より水平方向に近づけて）傾斜させた場合には、スプルランナが傾斜板７０上で滞留してしまう可能性がある。傾斜板７０を案内板６２の傾きと略等しい傾き（例えば、＋１０度程度以内）に傾斜して設けることにより、案内板６２に沿って落下したスプルランナを粗砕刃４の方へ落下させることができる。
【００６７】
傾斜板７０の見かけの長さＡは、固定的なものである必要はなく、長さＡを調整可能にすることもできる。すなわち、傾斜板７０の回転軸２５の一端側から軸方向に沿った長さＡを調整する調整部８０を設けることもできる。例えば、スプルランナの寸法が比較的小さい場合には、傾斜板７０の回転軸２５の一端側から軸方向に沿った長さ（見かけの長さ）Ａを長くし、逆にスプルランナの寸法が比較的大きい場合には、長さＡを短くすることができ、スプルランナが様々な形状又は大きさであっても、スプルランナが回転刃（粗砕刃４及び粉砕刃６）に掛からずに粉砕室で停留しないようにすることができる。
【００６８】
図６は調整部８０の構成の一例を示す要部正面断面図である。図６に示すように、傾斜板７０の一部を、投入ホッパ６０の案内板６２に重ねて配置する。調整部８０は、傾斜板７０又は案内板６２の少なくとも一方（図６の例では、案内板６２）に形成された長孔８３、長孔８３に挿通されて傾斜板７０と案内板６２とを締着するためのボルト８１、ボルト８１に螺嵌されるナット８２などを備える。そして、ボルト８１の長孔８３での挿通位置を変更することにより、傾斜板７０と案内板６２との重なり度合を調整して（図６の矢印の方向に傾斜板７０をスライドさせて）、傾斜板７０の回転軸２５の一端側から軸方向に沿った長さＡを調整する。これにより、簡便な構成により、傾斜板７０の回転軸の一端側から軸方向に沿った長さＡを調整することができる。
【００６９】
なお、図６に示すように、傾斜板７０の一端側の肉厚を先端側に向かって薄くなるようなテーパ面７１を形成することにより、スプルランナの引っ掛かりを防止して落下をスムーズにすることができる。
【００７０】
上述の実施の形態では、粉砕機は揺動側壁が開く構成であったが、揺動側壁の開閉機構はどのような構造のものであってもよい。また、揺動側壁を具備せずに粉砕機の筐体を４側壁で固定したもの、あるいは４側壁を一体化したものであってもよい。
【００７１】
上述の実施の形態では、回転軸２５に、３個の粉砕刃６及び２個の粗砕刃４が交互に配置した構成であったが、粉砕刃６及び粗砕刃の数は、上述の例に限定されるものではない。
【００７２】
本発明は、実施例に限定されるものではない。
【符号の説明】
【００７３】
２  固定側壁（筐体）
３  揺動側壁（筐体）
４  粗砕刃（大回転刃）
５  スクレーパ
６  粉砕刃（小回転刃）
７  固定刃
２５  回転軸
６０  投入ホッパ
６２  案内板
７０  傾斜板
８０  調整部
８１  ボルト（調整部）
８２  ナット（調整部）
８３  長孔（調整部）
【図１】
0005877636.tif 000002
【図２】
0005877636.tif 000003
【図３】
0005877636.tif 000004
【図４】
0005877636.tif 000005
【図５】
0005877636.tif 000006
【図６】
0005877636.tif 000007
【図７】
0005877636.tif 000008
【図８】
0005877636.tif 000009
【図９】
0005877636.tif 000010